(57)【特許請求の範囲】
【請求項１】
屋根側端部（２）の周囲を覆う上部被覆面（７１）、側部被覆面（７２）及び下部被覆面（７３）を有して略コ字形断面形状に形成された破風板（７）と、
屋根側端部（２）の側面に接合する側面部（６２）の上部に側方へ折れていて端部を下方へ折り返してなる上面部（６１）、下部に上面部（６１）と同じく側方へ折れた折れ部（６４）を介して上面部（６１）とは反対方向へ折れた下面部（６３）を設けて破風板（７）の内面に接合し得る形状に形成された支持具（６）と、
底面部（５３）の端部から側面部（５２）を垂直に立ち上げ、当該側面部（５２）の上端に底面部（５３）と平行且つ同方向に折れた上面部（５１）を設けて略Ｌ字形断面形状に形成されていて屋根パネル（１）と破風板（７）の取り合い部分に取り付けられる捨て水切り板（５）とからなる破風構成体において、
屋根側端部（２）の上面に底面部（５３）を固定して捨て水切り板（５）を屋根側端部（２）に沿って取り付けるとともに、支持具（６）をその上面部（６１）を捨て水切り板（５）の上面部（５１）と同高さに設置して屋根側端部（２）の側面に取り付け、
破風板（７）を、その上部被覆面（７１）を支持具（６）と捨て水切り板（５）の上面部（６１、５１）に覆い被せ、当該上部被覆面（７１）端部から下方へ折れた下折れ部（７１ａ）縁部の内折れした係合部（７１ｂ）を捨て水切り板（５）の上面部（５１）端部から下方へ折れた折れ部（５５）に係合させるとともに、破風板（７）の下部被覆面（７３）を支持具（６）の下側へ押し込んで下部被覆面（７３）端部から上方へ折れた上折れ部（７３ａ）縁部の内折部（７３ｂ）を屋根側端部（２）の下面と支持具（６）の下面部（６３）の間に位置させて装着することにより、
前記上部被覆面（７１）を支持具（６）と捨て水切り板（５）の上面部（６１、５１）、側部被覆面（７２）を支持具（６）の上面部（６１）の下折れした端部と折れ部（６４）、下部被覆面（７３）の前記内折部（７３ｂ）端部の折返部（７３ｃ）を屋根側端部（２）の下面にそれぞれ接合させた状態に破風板（７）を仮止めし、
取り付け位置を調整した後、
前記折返部（７３ｃ）を屋根側端部（２）の下面に固定し、前記下折れ部（７１ａ）と折れ部（５５）の重合部を固定して破風板（７）を取り付けることを特徴とする破風構成体。
【請求項２】
捨て水切り板（５）は軒側端部に取り付けられる水切りキャップ（５Ａ）と、これよりも棟側に取り付けられる水切り本体（５Ｂ）からなり、水切りキャップ（５Ａ）はその端部から適宜な幅離れた内方位置に係止凸部（５１ａ）を有しており、この係止凸部（５１ａ）に水切り本体（５Ｂ）の端部を係止させ、且つ水切りキャップ（５Ａ）の端部周面に水切り本体の端部周面を接合させて継ぎ合わさるように形成した構成を有することを特徴とする請求項１に記載の破風構成体。
【発明の詳細な説明】
【０００１】
【発明の属する技術分野】
本発明は、屋根の妻側の端部である螻羽（ケラバ）に取り付けて破風を構成する破風構成体に関する。
【０００２】
【従来の技術】
家屋の切妻屋根廻りの造作において、妻側端部を装飾するため、鋼製の破風板を取り付けることがある。このような屋根構造では、図１２に示されるように、屋根パネル１２１の端部１２２に沿ってブラケット１２３が固着され、このブラケット１２３に枠形に形成された破風板１２４の開口部を接続して破風板１２４が固定される。
【０００３】
【発明が解決しようとする課題】
側面の幅が広い（高い）破風板を用いた場合、これを取り付けた屋根のケラバは重厚感のある外観となる。しかし、この場合、屋根パネル１２１の端部１２２の幅も十分に広く（高く）なければ、屋根パネル１２１と破風板１２４との取り合い部分に隙間ができてしまう。このような隙間があると、隙間から破風板１２４の内側に雨水が進入して破風板の先端から滴り、地上に雨水の穴を作って水溜まりとなったり、或いは雨水が破風板１２４の内側に付着し滞留して錆を発生させ、屋根の美観が損なわれたりする。
【０００４】
本発明は、破風板を取り付けて屋根のケラバを装飾する場合に、屋根パネルと破風板との取り合い部分に隙間ができないような構造とし、併せて短時間で簡単に取り付け可能な構成とすることを課題とする。
【０００５】
【課題を解決するための手段】
前記課題を解決するため本発明の破風構成体は、
屋根側端部の周囲を覆う上部被覆面、側部被覆面及び下部被覆面を有して略コ字形断面形状に形成された破風板と、
屋根側端部の側面に接合する側面部の上部に側方へ折れていて端部を下方へ折り返してなる上面部、下部に上面部と同じく側方へ折れた折れ部を介して上面部とは反対方向へ折れた下面部を設けて破風板の内面に接合し得る形状に形成された支持具と、
底面部の端部から側面部を垂直に立ち上げ、当該側面部の上端に底面部と平行且つ同方向に折れた上面部を設けて略Ｌ字形断面形状に形成されていて屋根パネルと破風板の取り合い部分に取り付けられる捨て水切り板とからなり、
屋根側端部の上面に底面部を固定して捨て水切り板を屋根側端部の上面に沿って取り付けるとともに、支持具をその上面部を捨て水切り板の上面部と同高さに設置して屋根側端部の側面に取り付け、
破風板を、その上部被覆面を支持具と捨て水切り板の上面部に覆い被せ、当該上部被覆面端部から下方へ折れた下折れ部縁部の内折れした係合部を捨て水切り板の上面部端部から下方へ折れた折れ部に係合させるとともに、破風板の下部被覆面を支持具の下側へ押し込んで下部被覆面端部から上方へ折れた上折れ部縁部の内折部を屋根側端部の下面と支持具の下面部の間に位置させて装着することにより、
前記上部被覆面を支持具と捨て水切り板の上面部、側部被覆面を支持具の上面部の下折れした端部と折れ部、下部被覆面の前記内折部端部の折返部を屋根側端部の下面にそれぞれ接合させた状態に破風板を仮止めし、
取り付け位置を調整した後、
前記折返部を屋根側端部の下面に固定し、前記下折れ部と折れ部の重合部を固定して破風板を取り付けることを特徴とする。
【０００６】
この破風構成体によれば、屋根パネルと破風板の接合部の隙間は、捨て水切り板で塞がれる。取り合い部分の雨水は、捨て水切り板を伝って軒樋へと流れ落ち、破風板の内側へ進入することはない。捨て水切り板には、その上端部に破風板との係合部が設けてあり、捨て水切り板を取り付けた後、前記係合部に破風板を係合し、捨て水切り板に支持させて取り付けることができるので、破風板取り付け用の部材が節減されるとともに、破風構成体の取り付け作業手順が簡易になる。
【０００７】
捨て水切り板は、軒側端部に取り付けられる水切りキャップと、これよりも棟側に取り付けられる水切り本体から構成することができる。この場合、水切りキャップに、その端部から適宜な幅離れた内方位置に係止凸部を設け、この係止凸部に水切り本体の端部を係止させ、且つ水切りキャップの端部周面に水切り本体の端部周面を接合させて継ぎ合わさるように形成されていることが好ましい。これによれば、先ず軒側端部に水切りキャップを取り付け、この水切りキャップに水切り本体を連結し、棟までの距離が大きいときは水切り本体を複数本継ぎ合わせて捨て水切り板を構成することができる。水切りキャップの係止凸部に継ぎ合わす水切り本体の端部を係止させることで水切り本体は所定の位置で連結し、端部周面同士が接合して継ぎ合わさるので、直線性を確保して隙間なく連結する。捨て水切り板を取り付けるにあたり、細かな加工作業が不要なので、板金加工技能者でなくとも、容易且つ確実に施工が可能である。
【０００８】
【発明の実施の形態】
図面を参照して本発明の好適な一実施形態を説明する。
図１は切妻屋根のケラバに本発明の破風構成体を取り付けた構造を示す模式図、図２は捨て水切り板を構成する水切りキャップの外観図、図３〜図６は捨て水切り板を取り付ける手順を説明するための図、図７は支持具を取り付ける手順を説明するための図、図８は捨て水切り板と支持具を連結する手順を示す断面図、図９及び図１０は破風板を取り付ける手順を説明するための図、図１１は破風構成体を取り付けた状態の屋根側端部の断面図である。
【０００９】
図１に示されるように、本形態は切妻屋根の屋根パネル１の側端部２に沿って破風構成体４を取り付け、その棟側（図示せず）から軒樋３の側方にいたるケラバが幅広の破風板で覆われるように構成してある。図中、符号１ａは瓦である。
【００１０】
破風構成体４は、捨て水切り板５、支持具６及び破風板７を主要素として構成される。これら部材は、例えば表面を塩化ビニル樹脂で被覆した鋼板などの金属板を用いて形成される。
【００１１】
捨て水切り板５は、屋根側端部２の軒側に取り付けられる水切りキャップ５Ａと、これと接合して棟側に取り付けられる水切り本体５Ｂにより構成される。水切り本体５Ｂは軒から棟までの寸法に応じて複数用いられる。
水切りキャップ５Ａは、図２に示されるように、直方形の箱体を対角線に沿って二分するとともに一側の壁面を切除した略々Ｌ字形の断面形状を有する枠状に形成されている。詳しくは、底面部５３の一端部から側面部５２が垂直に立ち上がり、側面部５２の上端に底面部５３と平行に短く折り返した上面部５１を設け、これら各面部の一側に閉鎖面部５４を設けるとともに、閉鎖面部と対向した他側を開放した形状に形成されている。底面部５３の他端縁部は上方に折り返してあるが、閉鎖面部５４との接合部位には切欠部５３ａが設けてある。また、閉鎖面部５４の外面には側面部５２と平行な突片５４ａが設けてあり、上面部５１には、前記開放端部側から適宜な幅離れた位置に、縁部に一対の切れ目を入れ、両切れ目間を下方に折り曲げてなる係止凸部５１ａが設けてある。
水切り本体５Ｂは、長尺板材をその長手方向に略々Ｌ字形に折り曲げ、水切りキャップ５Ａと同様に、上面部５１、側面部５２及び底面部５３を備え、各面部が水切りキャップ５Ａの開放側端部に接合し得る形状に形成されているが（図４参照）、上面部５１の端部は下方に折れた折れ部５５としてある。また、上面部５１の一側の端部には、当該端部から適宜な幅材軸方向に切り欠いた係止凹部５１ｂが設けてある。
なお、捨て水切り板５は、破風板７を取り付けた状態で、屋根側端部２から上方に突出した破風板７の開口部を閉鎖し得る大きさに形成してある。
【００１２】
支持具６は、帯状の鋼板を折り曲げ、破風板７の内面に接合してこれを支持し得る形状に形成されている。詳しくは、図７及び図８に示されるように、屋根側端部２の側面とその上面に固着された唐草８とに接合する折れ側面部６２を有し、その上方に捨て水切り板５の上面部５１と同高さで側方に折れ、端部を下方に折り返してなる上面部６１を設け、下方に上面部６１と同幅で側方に折れた折れ部６４を介して端部を反対方向に折り返してなる下面部６３を設けて形成されている。
【００１３】
破風板７は、屋根側端部２の周囲を被覆する被覆面を有し、一側を開口した中空枠状に形成され、軒側端部に取り付けられる破風先端７Ａと、これと接合して棟側に取り付けられる破風本体７Ｂにより構成される。詳しくは、図９に示されるように、両部材は、屋根側端部２の上方を被覆する上部被覆面７１と、側方を被覆する側部被覆面７２と、下方を被覆する下部被覆面７３とを有し、側部被覆面７２と対向した位置の上下両部被覆面間を開口部７４とした略コ字状の断面形状を有して形成されている。破風先端７Ａは、さらに軒側先端部に、前方を被覆する前部被覆面７５と開口部７４の先端部を被覆する端部被覆面７６とを有し、当該先端部分は周囲を閉塞した箱形状に形成されている。また、上部被覆面７１の端部には下方に折れ曲がった下折れ部７１ａが連なり、この下折れ部７１ａの縁部は内側上方に折り返した係合部７１ｂが形成されている（図１０参照）。下部被覆面７３の端部には上方に折れ曲がって前記下折れ部７１ａよりも大きく突出した上折れ部７３ａが連なり、この上折れ部７３ａの縁部は内折部７３ｂを介して下部被覆面７３と平行に外方に延びた折返部７３ｃが形成されている。破風先端７Ａと破風本体７Ｂの棟側端部は継手部７７が一体に固着されている。
【００１４】
これらの部材からなる本形態の破風構成体４は以下の手順で施工される。
なお、予め屋根造作前に、屋根パネル１の表面を耐水シートで覆って防水処理を施し、瓦１ａが載るパネル上面には耐水シートに重ねてルーフィングを敷設しておく。
【００１５】
先ず、捨て水切り板５を屋根側端部２の上面に沿って取り付ける。
捨て水切り板５の取り付けは、水切りキャップ５Ａから行い、図３及び図４に示されるように、その閉鎖面部５４を軒側に向けて底面部５３を屋根側端部２の上面に載せ、切欠部５３ａが軒樋３の上方に位置するように位置合わせた状態で側面部５２を唐草８の側面に押し当て、底面部５３の折り返し縁部に吊り子９を係合させて釘１０で固定する。
【００１６】
次に、水切りキャップ５Ａの棟側端部に水切り本体５Ｂを継ぎ合わせる。
水切り本体５Ｂの取り付けは、図５に示されるように、水切りキャップ５Ａの側面部５２と底面部５３の内面にコーキング剤を塗布した状態で、水切り本体５Ｂの端部を水切りキャップ５Ａの内側に差し入れて係止凸部５１ａに係止させ、その位置で水切り本体５Ｂの外周面と水切りキャップ５Ａの内周面とを接合し、前記と同様、その底面部５３の折り返し縁部に吊り子９を係合させて釘１０で固定する。
さらに、水切り本体５Ｂの棟側端部に他の水切り本体５Ｂを継ぎ合わせる。水切り本体５Ｂ同士の連結は、図６に示されるように、接合部位内面にコーキング剤を塗布した状態で、継ぎ合わす水切り本体５Ｂの端部を、固定された水切り本体５Ｂの内側に差し入れ、水切り本体５Ｂの端部に係止凹部５１ｂを係止させた位置で端部周面を接合させ、吊り子９で固定して行う。
【００１７】
軒側から棟側にいたる屋根側端部２の上面に沿って捨て水切り板５を取り付けたならば、屋根側端部２の側面に支持具６を取り付ける。
図８に示されるように、支持具６の取り付けは、その折れ側面部６２を屋根側端部２の側面と唐草８とに接合させた状態でビス１１を打ち込んで行うが、この際、上面部６１が捨て水切り板５の上面部５１と同じ面となるように位置を合わせ、重なり合う折れ側面部６２と捨て水切り板５の側面部５２とはビス１１で一体に固着しておく。
【００１８】
次に、軒側から破風板７を取り付ける。
破風板７の取り付けは、破風先端７Ａから行い、破風先端７Ａの上部を捨て水切り板５に引っ掛けて回転するように押さえながら組み付ける。
具体的には、図１０に示されるように、先ず、上部被覆面７１端部の下折れ部７１ａを捨て水切り板５の上面部５１に被せ、縁部の係合部７１ｂを折れ部５５に係合させ（矢符イ）、この係合部を軸として破風先端７Ａの下側を屋根側に回転させる（矢符ロ）。そして、下部被覆面７３を下方に引っ張って破風先端７Ａの下側を開かせながら、支持具６の下側に押し込んで破風先端７Ａを捨て水切り板５及び支持具６に装着する（矢符ハ）。
装着された破風先端７Ａは、その上部被覆面７１、側部被覆面７２及び下部被覆面７３が捨て水切り板５と支持具６とに接合して支持され、折返部７３ｃが屋根側端部２の下面に接合した状態で仮止めされ、取り付け位置を調節した後、側部被覆面７２にビス１１を打ち込んで支持具６に固定し、さらに折返部７３ｃを屋根側端部２の下面に釘１０で固定する。また、上部被覆面７１の下折れ部７１ａと捨て水切り板５の折れ部５５の重合部もビス１１を打ち込んで固定する。
破風先端７Ａを取り付けた後、同様の手順で破風本体７Ｂを取り付ける。この際、破風本体７Ｂの軒側先端は、破風先端７Ａの継手部７７に重ねて接合するが、両破風の突き当て部は熱伸縮を吸収するため、若干の隙間を設けておく。
【００１９】
そして、破風板７を棟側まで取り付けたならば、破風板７のビス１１を打ち込んだ部分にコーキング剤を充填して防水処理を施し、破風構成体４の施工が完了する。
【００２０】
このように構成された本形態の破風構成体４によれば、屋根パネル１と破風板７との取り合い部分に捨て水切り板５が配してあり、屋根側端部２の上方に突出した破風板７の開口部が捨て水切り板５で覆われるので、取り合い部分の雨水は捨て水切り板５を伝い軒樋３に導かれて流れ落ちる。従って、雨水が破風板７の内側に進入し、破風板先端から滴ったり、滞留して錆を発生させたりすることはない。
破風板７は捨て水切り板５に係合して支持されるから、破風板取り付け用の部材を節減できて取り付け作業手順も簡易となり、また、捨て水切り板がユニット化されているので、屋根パネル１の形態や寸法などに対応した捨て水切り板を構成することができる。
【００２１】
なお、図示した形態では、捨て水切り板５と支持具６を別体としたが一体に構成してもよく、破風板７も破風先端７Ａと破風本体７Ｂを一体としたり、これらと別の部材を組み合わたりして構成してもよい。各部材の形状も、他の適宜な形状に設けることができる。
本発明は屋根の妻側の端部に限らず、破風板を取り付ける任意の形態の屋根に適用可能である。
【００２２】
【発明の効果】
本発明の破風構成体によれば、屋根パネルと破風板との取り合い部分に隙間ができないように構成してあるから、雨水が破風板の内側に進入して破風板先端から滴ったり、滞留して錆を発生させたりすることが防止され、また、短時間で簡単且つ正確に施工できるものである。
【図面の簡単な説明】
【図１】本発明の一実施形態の破風構成体を屋根に取り付けた状態の構造を示す模式図である。
【図２】捨て水切り板を構成する水切りキャップの外観図である。
【図３】水切りキャップを取り付ける手順を説明するための図である。
【図４】捨て水切り板を取り付ける手順を示す断面図である。
【図５】水切りキャップに水切り本体を接合する手順を説明するための図である。
【図６】水切り本体同士を接合する手順を説明するための図である。
【図７】支持具を取り付ける手順を説明するための図である。
【図８】支持具を取り付ける手順を示す断面図である。
【図９】破風板を取り付ける手順を説明するための図である。
【図１０】破風板を取り付ける手順を説明するための断面図である。
【図１１】図１の破風構成体を取り付けた状態の屋根端部の断面図である。
【図１２】従来の破風構成体を取り付けた状態の屋根端部の要部破断外観図である。
【符号の説明】
１    屋根パネル
２    屋根側端部
３    軒樋
４    破風構成体
５    捨て水切り板
５Ａ    水切りキャップ
５Ｂ    水切り本体
６    支持具
７    破風板
７Ａ    破風先端
７Ｂ    破風本体
８    唐草
９    吊り子
１０    釘
１１    ビス
【図１】
0003920579.tif 000002
【図２】
0003920579.tif 000003
【図３】
0003920579.tif 000004
【図４】
0003920579.tif 000005
【図５】
0003920579.tif 000006
【図６】
0003920579.tif 000007
【図７】
0003920579.tif 000008
【図８】
0003920579.tif 000009
【図９】
0003920579.tif 000010
【図１１】
0003920579.tif 000011
【図１２】
0003920579.tif 000012
【図１０】
0003920579.tif 000013